(57)【要約】【課題】雄側嵌合部と雌側嵌合部とを全体的に嵌合させる際にそれらが嵌合していることを認識しやすく、また袋体内に液状又は粉状の内容物を収容した場合でも内容物の漏出を抑制できる嵌合具、及び嵌合具付き袋体とその製造方法を提供することを目的とする。【解決手段】帯状の第１基材１６に長手方向に沿って雄側嵌合部１８が設けられた第１嵌合部材１２と、帯状の第２基材２０に長手方向に沿って雌側嵌合部２２が設けられた第２嵌合部材１４とを備え、雌側嵌合部２２には、高さが低くなっている低位部２４が雌側嵌合部２２の長さ方向に間隔を開けて複数形成され、雄側嵌合部１８と雌側嵌合部２２とは低位部２４でも嵌合されるようになっている、嵌合具１０。また、嵌合具１０を具備する嵌合具付き袋体。【選択図】図１
2017221627.tif 000002
【特許請求の範囲】
【請求項１】
一対の帯状の第１嵌合部材及び第２嵌合部材を備え、
前記第１嵌合部材が、帯状の第１基材と、前記第１基材に長手方向に沿って設けられた雄側嵌合部と、を備え、前記第２嵌合部材が、帯状の第２基材と、前記第２基材に長手方向に沿って設けられ、前記雄側嵌合部と着脱自在に嵌合する雌側嵌合部と、を備え、
前記雌側嵌合部には、高さが低くなっている低位部が該雌側嵌合部の長さ方向に間隔を開けて複数形成され、
前記雄側嵌合部と前記雌側嵌合部とは前記低位部でも嵌合されるようになっている、嵌合具。
【請求項２】
前記雄側嵌合部と、前記雌側嵌合部における前記低位部以外の部分との、袋体の内容物側に配置される側の嵌合強度が３０Ｎ超である、請求項１に記載の嵌合具。
【請求項３】
前記雄側嵌合部と、前記雌側嵌合部における前記低位部との、袋体の内容物側に配置される側の嵌合強度が１０Ｎ超である、請求項１又は２に記載の嵌合具。
【請求項４】
内容物を収容する袋本体と、前記袋本体の内面に取り付けられた請求項１〜３のいずれか一項に記載の嵌合具と、を具備する、嵌合具付き袋体。
【請求項５】
内容物を収容する袋本体と、前記袋本体の対向する内面にそれぞれ帯状に直接設けられ、互いに着脱自在に嵌合し、前記袋本体に形成される開口部を開閉自在に閉じる雄側嵌合部及び雌側嵌合部からなる嵌合具と、を備える嵌合具付き袋体であって、
前記雌側嵌合部には、高さが低くなっている低位部が前記雌側嵌合部の長さ方向に間隔を開けて複数形成され、
前記雄側嵌合部と前記雌側嵌合部とは前記低位部でも嵌合されるようになっている、嵌合具付き袋体。
【請求項６】
請求項５に記載の嵌合具付き袋体を製造する方法であって、
インフレーション成形により、内面に前記雄側嵌合部及び前記雌側嵌合部がそれぞれ長さ方向に帯状に形成された長尺の筒状体を形成する成形工程と、
前記雌側嵌合部に対し、前記雌側嵌合部の長さ方向に間隔を開けて、前記雌側嵌合部の高さが部分的に低くなるように押圧して前記低位部を複数形成する押圧工程と、
を有する嵌合具付き袋体の製造方法。
【発明の詳細な説明】
【技術分野】
【０００１】
本発明は、嵌合具並びに嵌合具付き袋体及びその製造方法に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。嵌合具としては、一対の帯状の基材のそれぞれの対向面に、互いに着脱自在に嵌合する第１嵌合部と第２嵌合部が、それら基材の長手方向に沿ってそれぞれ設けられたものが挙げられる。例えば、第１嵌合部及び第２嵌合部がいずれも、並行する複数の雄爪部を有し、互いの雄爪部の頭部を対向する２つの雄爪部の間に挿入して互いに引っ掛けて着脱するようにした嵌合具が知られている（特許文献１）。
【０００３】
このような嵌合具付き袋体では、嵌合具の第１嵌合部と第２嵌合部とを嵌合させることにより、袋体に形成した開口部を閉じることができる。また、嵌合具が取り付けられた袋本体の各々の開口端をそれぞれ把持し、それらを離間する方向に引っ張り、第１嵌合部と第２嵌合部との嵌合を解除することで、袋体を再び開封することができる。
【０００４】
嵌合具付き袋体において嵌合具によって開口部を閉じる際には、一般に、最初は袋体の側端側で第１嵌合部と第２嵌合部とを部分的に嵌合させる。その後、その嵌合させた部分を指で摘まんだ状態で指を嵌合具に沿ってスライドさせることで、第１嵌合部と第２嵌合部とを連続的に反対側の側端まで嵌合させる。この場合、第１嵌合部と第２嵌合部とを最初に嵌合させる部分でそれらが嵌合したことは指の感触で認識できる。しかし、指をスライドさせて連続的に嵌合させている際にはうまく嵌合されているか否かが指の感触では認識しにくい。そのため、予期せず袋体の開口部が一部開放されたままの状態になることがある。また、第１嵌合部と第２嵌合部の嵌合が部分的に不充分となることで、袋体の内圧が高まったときにその内圧によって嵌合が部分的に解除されて袋が開くこともある。
【０００５】
第１嵌合部と第２嵌合部の嵌合を指の感覚で認識しやすくする方法としては、第１嵌合部と第２嵌合部の嵌合強度を高くする方法が考えられる。しかし、嵌合強度を高くするほど、第１嵌合部と第２嵌合部とを嵌合させることが難しくなり、袋体の取り扱い性が低下する。
【０００６】
嵌合具としては、一対の帯状の基材の各対向面に、互いに着脱自在に嵌合する雄側嵌合部と雌側嵌合部が長手方向にそれぞれ設けられ、前記雄側嵌合部に長さ方向に間隔を開けて複数の切欠部が形成されて該雄側嵌合部が断続的になっている嵌合具も知られている（特許文献２）。該嵌合具を用いれば、雄側嵌合部が断続的になっているため、指をスライドさせながら連続的に嵌合させる際に指の感覚で嵌合が進んでいることが認識できる。しかし、該嵌合具を備える嵌合具付き袋体においては、液状又は粉状の内容物を収容した場合に雄側嵌合部の切欠部を通じて内容物が漏出する問題がある。
【先行技術文献】
【特許文献】
【０００７】
【特許文献１】特開昭６３−０５５０６１号公報
【特許文献２】特開２０１０−１２０１９０号公報
【発明の概要】
【発明が解決しようとする課題】
【０００８】
本発明は、雄側嵌合部と雌側嵌合部とを全体的に嵌合させる際にそれらが嵌合していることを認識しやすく、開閉が容易で、また袋体内に液状又は粉状の内容物を収容した場合でも内容物の漏出を抑制できる嵌合具、該嵌合具を備える嵌合具付き袋体、及び嵌合具付き袋体の製造方法を提供することを目的とする。
【課題を解決するための手段】
【０００９】
本発明は、以下の構成を有する。
［１］一対の帯状の第１嵌合部材及び第２嵌合部材を備え、前記第１嵌合部材が、帯状の第１基材と、前記第１基材に長手方向に沿って設けられた雄側嵌合部と、を備え、前記第２嵌合部材が、帯状の第２基材と、前記第２基材に長手方向に沿って設けられ、前記雄側嵌合部と着脱自在に嵌合する雌側嵌合部と、を備え、前記雌側嵌合部には、高さが低くなっている低位部が該雌側嵌合部の長さ方向に間隔を開けて複数形成され、前記雄側嵌合部と前記雌側嵌合部とは前記低位部でも嵌合されるようになっている、嵌合具。
［２］前記雄側嵌合部と、前記雌側嵌合部における前記低位部以外の部分との、袋体の内容物側に配置される側の嵌合強度が３０Ｎ超である、［１］に記載の嵌合具。
［３］前記雄側嵌合部と、前記雌側嵌合部における前記低位部との、袋体の内容物側に配置される側の嵌合強度が１０Ｎ超である、［１］又は［２］に記載の嵌合具。
［４］内容物を収容する袋本体と、前記袋本体の内面に取り付けられた［１］〜［３］のいずれかに記載の嵌合具と、を具備する、嵌合具付き袋体。
［５］内容物を収容する袋本体と、前記袋本体の対向する内面にそれぞれ帯状に直接設けられ、互いに着脱自在に嵌合し、前記袋本体に形成される開口部を開閉自在に閉じる雄側嵌合部及び雌側嵌合部からなる嵌合具と、を備える嵌合具付き袋体であって、前記雌側嵌合部には、高さが低くなっている低位部が前記雌側嵌合部の長さ方向に間隔を開けて複数形成され、前記雄側嵌合部と前記雌側嵌合部とは前記低位部でも嵌合されるようになっている、嵌合具付き袋体。
［６］前記［５］に記載の嵌合具付き袋体を製造する方法であって、インフレーション成形により、内面に前記雄側嵌合部及び前記雌側嵌合部がそれぞれ長さ方向に帯状に形成された長尺の筒状体を形成する成形工程と、前記雌側嵌合部に対し、前記雌側嵌合部の長さ方向に間隔を開けて、前記雌側嵌合部の高さが部分的に低くなるように押圧して前記低位部を複数形成する押圧工程と、を有する嵌合具付き袋体の製造方法。
【発明の効果】
【００１０】
本発明の嵌合具を用いれば、雄側嵌合部と雌側嵌合部とを全体的に嵌合させる際にそれらが嵌合していることを認識しやすく、開閉が容易で、また袋体内に液状又は粉状の内容物を収容した場合でも内容物の漏出を抑制することができる。
本発明の嵌合具付き袋体では、雄側嵌合部と雌側嵌合部とを全体的に嵌合させる際にそれらが嵌合していることを認識しやすく、開閉が容易で、また袋体内に液状又は粉状の内容物を収容した場合でも内容物の漏出を抑制することができる。
本発明の嵌合具付き袋体の製造方法によれば、雄側嵌合部と雌側嵌合部とを全体的に嵌合させる際にそれらが嵌合していることを認識しやすく、開閉が容易で、また袋体内に液状又は粉状の内容物を収容した場合でも内容物の漏出を抑制できる嵌合具付き袋体が得られる。
【図面の簡単な説明】
【００１１】
【図１】本発明の嵌合具の一例を示した斜視図である。
【図２】図１の嵌合具のＡ−Ａ断面図である。
【図３】図１の嵌合具のＢ−Ｂ断面図である。
【図４】図２の嵌合具の嵌合状態を示した断面図である。
【図５】図３の嵌合具の嵌合状態を示した断面図である。
【図６】本発明の嵌合具の他の例を示した断面図である。
【図７】本発明の嵌合具付き袋体の一例を示した正面図である。
【図８】図７の嵌合具付き袋体のＣ−Ｃ断面図である。
【図９】図７の嵌合具付き袋体を開封した様子を示した斜視図である。
【図１０】本発明の嵌合具付き袋体の他の例の開口部近傍を拡大して示した断面図である。
【図１１】図１０の嵌合具付き袋体の製造方法に用いる環状ダイの一例の先端面を示した正面図である。
【図１２】本発明の嵌合具付き袋体の製造方法の成形工程で形成した筒状体の一例を示した断面図である。
【図１３】本発明の嵌合具付き袋体の製造方法の一例の溶断工程を示した概略構成図である。
【発明を実施するための形態】
【００１２】
［嵌合具］
以下、本発明の嵌合具の一例を示して詳細に説明する。
嵌合具１０は、図１〜３に示すように、一対の帯状の第１嵌合部材１２及び第２嵌合部材１４を備えている。第１嵌合部材１２は、帯状の第１基材１６と、第１基材１６に長手方向に設けられた雄側嵌合部１８と、を備えている。第２嵌合部材１４は、帯状の第２基材２０と、第２基材２０に長手方向に設けられた雌側嵌合部２２と、を備えている。
この例の嵌合具１０は、第１基材１６の第１側端１６ｂと第２基材２０の第１側端２０ｂが袋体の開口部側、第１基材１６の第２側端１６ｃと第２基材２０の第２側端２０ｃが袋体の内容物側となるように、袋本体の内面に取り付けられる。
【００１３】
（第１嵌合部材）
第１基材１６としては、特に限定されず、公知の嵌合具の基材に使用されるものが使用でき、積層フィルムからなる基材が好ましい。積層フィルムとしては、例えば、第２基材と対向する対向面側から、耐熱層とヒートシール層が積層されたフィルムが挙げられる。また、第１基材１６は、耐熱層とヒートシール層の間にバリア層を有していてもよい。
耐熱層の材料としては、二軸延伸ナイロン、二軸延伸ポリプロピレン等が挙げられる。
ヒートシール層の材料としては、直鎖状低密度ポリエチレン、無延伸ポリプロピレン、エチレン−酢酸ビニル共重合体、アイオノマー等が挙げられる。
バリア層の材料としては、ポリビニルアルコール等が挙げられる。
【００１４】
第１基材１６は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
第１基材１６は、積層フィルムからなる基材には限定されず、単層フィルムからなる基材であってもよい。
【００１５】
雄側嵌合部１８は、図１〜３に示すように、第１基材１６の対向面１６ａから立ち上がる幹部１８ａと、幹部１８ａの先端側に設けられ、幹部１８ａよりも大きい頭部１８ｂとを備えている。雄側嵌合部１８は、頭部１８ｂを後述する雌側嵌合部２２の凹部２２ｃ内に嵌まり込むようになっている。
【００１６】
この例の雄側嵌合部１８における頭部１８ｂは、袋体において内容物側となる第２側端１６ｃ側の部分１８ｃが、開口部側となる第１側端１６ｂ側の部分１８ｄよりも大きく突き出た形状になっている。これにより、袋体において後述するように雄側嵌合部１８と雌側嵌合部２２とを嵌合させた状態では、内容物側は開口部側に比べて嵌合強度が高くなり、袋体の内圧が高まっても雄側嵌合部１８と雌側嵌合部２２の嵌合が解除されにくくなる。また、開口部側においては嵌合強度が比較的低くなり、手で力を加えることで雄側嵌合部１８と雌側嵌合部２２の嵌合を容易に解除できるようになる。
【００１７】
雄側嵌合部１８の形状は、雌側嵌合部２２と嵌合できるものであればよく、公知の形状を採用できる。
雄側嵌合部１８の材料としては、特に限定されず、例えば、第１基材１６で挙げたものと同じ材料が使用できる。
【００１８】
（第２嵌合部材）
第２基材２０としては、特に限定されず、例えば第１基材１６と同じ基材が挙げられ、好ましい態様も同じである。
【００１９】
雌側嵌合部２２は、第２基材２０における第１基材１６と対向する対向面２０ａから断面円弧状に立ち上がる一対の第１アーム部２２ａと第２アーム部２２ｂとを備えている。雌側嵌合部２２には、第１アーム部２２ａと第２アーム部２２ｂによって、それらの間に第２基材２０の長さ方向に延びる凹部２２ｃが形成されている。
【００２０】
図４に示すように、雄側嵌合部１８の頭部１８ｂが雌側嵌合部２２の凹部２２ｃ内に嵌まり込み、雄側嵌合部１８の頭部１８ｂが雌側嵌合部２２の第１アーム部２２ａ及び第２アーム部２２ｂのそれぞれの先端部分で係止されることで、雄側嵌合部１８と雌側嵌合部２２が嵌合する。また、嵌合している状態の雄側嵌合部１８を雌側嵌合部２２から離間させるように動かすことで、雄側嵌合部１８の頭部１８ｂが雌側嵌合部２２の第１アーム部２２ａと第２アーム部２２ｂを内側から押し広げながら脱離する。このように、雄側嵌合部１８と雌側嵌合部２２とは着脱自在に嵌合するようになっている。
【００２１】
図１〜３に示すように、雌側嵌合部２２には、高さが低くなっている低位部２４が雌側嵌合部２２の長さ方向に間隔を開けて複数形成されている。この例の低位部２４は、雌側嵌合部２２における低位部２４以外の部分である非低位部２６に比べて高さが低く、かつ幅が広くなっている。このように、低位部２４は、雌側嵌合部２２が部分的に低くなるように押し潰されたような形状になっている。
なお、雌側嵌合部における低位部の幅は、非低位部の幅と同等になっていてもよい。
【００２２】
雌側嵌合部２２の長さ方向に間隔を開けて複数の低位部２４が形成されていることで、雌側嵌合部２２には長さ方向に複数の段差が形成されている。これにより、雄側嵌合部１８と雌側嵌合部２２の一部を嵌合させて、その部分を摘まんだ指をスライドさせながら連続的に嵌合させていく場合には、雌側嵌合部２２の段差を乗り越える度に嵌合の感触が指に伝わる。また、雌側嵌合部２２の段差を乗り越える度に、雄側嵌合部１８と雌側嵌合部２２とが嵌合する際のプチプチという音がする。これらのことから、雄側嵌合部１８と雌側嵌合部２２との嵌合が長さ方向に順調に進行していか否かを指の感覚と音で認識することができる。
【００２３】
雄側嵌合部１８と雌側嵌合部２２とを嵌合した状態においては、図５に示すように、雌側嵌合部２２の低位部２４においても、雄側嵌合部１８の頭部１８ｂが雌側嵌合部２２の凹部２２ｃに嵌まり込んで嵌合した状態になっている。これにより、嵌合具１０を用いた袋体内に液状又は粉状の内容物を収容した場合でも、内容物が雌側嵌合部２２の低位部２４が位置する部分を通過して漏出することが抑制される。
【００２４】
雄側嵌合部と雌側嵌合部の非低位部との袋体の内容物側に配置される側の嵌合強度（以下、嵌合強度Ａともいう。）は、３０Ｎ超が好ましい。この例では、雄側嵌合部１８と雌側嵌合部２２の非低位部２６における第２アーム部２２ｂとの嵌合強度Ａは、３０Ｎ超が好ましい。嵌合強度Ａが３０Ｎ超であれば、雄側嵌合部と雌側嵌合部との嵌合部分に内容物側から圧力がかかったとしても嵌合を保持しやすい。
嵌合強度Ａの上限値は特に限定されず、高ければ高いほどよい。
【００２５】
なお、嵌合強度Ａは、試料を長さ５０ｍｍにカットし、該試料の基材における袋体の内容物側に配置される側端部を引張試験機のふたつのチャックに挟み、引張速度５０ｍｍ／分で引っ張ったときの応力の最大値とする。
嵌合強度Ａは、雄側嵌合部の頭部や、雌側嵌合部の非低位部における第２アーム部の形状等を調節することで調節することができる。
【００２６】
雄側嵌合部と雌側嵌合部の低位部との袋体の内容物側に配置される側の嵌合強度（以下、嵌合強度Ｂともいう。）は、１０Ｎ超が好ましい。この例では、雄側嵌合部１８と雌側嵌合部２２の低位部２４における第２アーム部２２ｂとの嵌合強度Ｂは、１０Ｎ超が好ましい。嵌合強度Ｂが１０Ｎ超であれば、雄側嵌合部と雌側嵌合部との嵌合部分に内容物側から圧力がかかったとしても嵌合を保持しやすい。
嵌合強度Ｂの上限値は特に限定されず、高ければ高いほどよい。
【００２７】
なお、嵌合強度Ｂは、嵌合強度Ａと同様の方法で測定できる。
嵌合強度Ｂは、雄側嵌合部の頭部や、雌側嵌合部の低位部における第２アーム部の形状等を調節することで調節することができる。
【００２８】
雌側嵌合部２２の非低位部２６における第２アーム部２２ｂの高さに対する、低位部２４における第２アーム部２２ｂの高さの比率は、７／１０〜９／１０が好ましく、１５／２０〜１７／２０がより好ましい。前記比率が下限値以上であれば、嵌合強度Ｂがより高くなりやすく、嵌合具１０を用いた袋体内に液状又は粉状の内容物を収容した場合でも、内容物が雌側嵌合部２２の低位部２４が位置する部分を通過して漏出することが抑制されやすい。前記比率が上限値以下であれば、雄側嵌合部１８と雌側嵌合部２２とが嵌合する際に指に伝わる衝撃がより強くなり、音もより大きくなることから、嵌合が順調に進んでいることを認識することがより容易になる。
雌側嵌合部２２の非低位部２６における第１アーム部２２ａの高さに対する、低位部２４における第１アーム部２２ａの高さの比率についても同様である。
【００２９】
雌側嵌合部２２の形状は、低位部２４が形成されている以外は、雄側嵌合部１８と雌側嵌合部２２とを互いに着脱することで、袋本体の開口部の開閉が繰り返し行えるものであればよい。
雌側嵌合部２２の材料としては、特に限定されず、例えば、第１基材１６で挙げたものと同じ材料が使用できる。
【００３０】
本発明の嵌合具の製造方法は、特に限定されず、公知の方法を利用することができる。第１嵌合部材の製造方法としては、例えば、押出成形等が挙げられる。第２嵌合部材の製造方法としては、例えば、押出成形後に、加熱したバー等によって雌側嵌合部を部分的に押し潰して低位部を形成する方法等が挙げられる。
【００３１】
以上説明した本発明の嵌合具においては、雌側嵌合部に複数の低位部が形成されていることで、雄側嵌合部と雌側嵌合部とを全体的に嵌合させる際に嵌合が順調に進行しているか否かを指の感覚と音によって容易に認識することができる。また、本発明の嵌合具においては、雄側嵌合部と雌側嵌合部の嵌合強度を過度に高めなくても嵌合が順調に進行しているか否かを容易に認識できるため、袋体の開閉も容易に行える。
また、本発明の嵌合具においては、雄側嵌合部と雌側嵌合部とは低位部においても嵌合されるため、本発明の嵌合具を用いた袋体内に液状又は粉状の内容物を収容した場合でも、該内容物の漏出を抑制することができる。
【００３２】
なお、本発明の嵌合具は、前記した嵌合具１０には限定されない。
本発明の嵌合具は、一対の雄側嵌合部と雌側嵌合部を備えるものには限定されず、二対以上の雄側嵌合部と雌側嵌合部を備えるものであってもよい。本発明の嵌合具は、例えば、図６に例示した嵌合具１０Ａであってもよい。図６（Ａ）及び図６（Ｂ）における図４及び図５と同じ部分は同符号を付して説明を省略する。
【００３３】
嵌合具１０Ａは、第１基材１６に２つの雄側嵌合部１８が並行するように設けられ、第２基材２０に２つの雌側嵌合部２２が並行するように設けられている以外は、嵌合具１０と同じである。このように、嵌合具１０Ａは、二対の雄側嵌合部１８と雌側嵌合部２２を備えている。
嵌合具１０Ａにおいても、嵌合具１０と同様に、雄側嵌合部と雌側嵌合部とを全体的に嵌合させる際に嵌合が順調に進行しているか否かを指の感覚と音によって容易に認識することができ、また液状又は粉状の内容物が袋体から予期せず漏出することも抑制できる。
【００３４】
［嵌合具付き袋体］
以下、本発明の嵌合具付き袋体の一例として、前述した嵌合具１０を備えた嵌合具付き袋体１（以下、「袋体１」という。）について説明する。
本実施形態の袋体１は、図７に示すように、内容物を収容する密封された状態の袋本体４０と、袋本体４０の上部の内面に、横方向に沿って取り付けられた嵌合具１０とを具備している。
【００３５】
袋本体４０は、第１フィルム材４２と第２フィルム材４４が重ね合わされ、それらの周縁部４６が全てヒートシールされることで形成されており、密封された状態になっている。袋本体４０における嵌合具１０よりも上部側には、横方向に沿って切断補助線４８が設けられており、その端部にノッチ５０が形成されている。
【００３６】
袋体１においては、図８に示すように、嵌合具１０の第１基材１６の外面１６ｄが袋本体４０の第１フィルム材４２に溶着され、嵌合具１０の第２基材２０の外面２０ｄが袋本体４０の第２フィルム材４４に溶着されている。
【００３７】
袋本体４０の形状は、本実施形態では矩形である。なお、袋本体４０の形状は矩形には限定されない。また、袋本体４０の大きさも特に限定されず、袋本体４０に収容する内容物によって適宜選定すればよい。
【００３８】
袋本体４０を形成する第１フィルム材４２と第２フィルム材４４は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
前記積層フィルムには、バリア層等の機能層を設けてもよい。
第１フィルム材４２と第２フィルム材４４は、シーラント層のみからなる単層フィルムであってもよい。
【００３９】
切断補助線４８は、袋本体４０を切断して開封するのを補助する線である。切断補助線４８としては、例えば、袋本体４０の第１フィルム材４２及び第２フィルム材４４における切断補助線４８の部分をそれ以外の部分に比べて薄肉化した弱化線、ミシン目からなる弱化線、列状に形成された細孔からなる弱化線が挙げられる。また、切断補助線４８は、前記弱化線には限定されず、ハサミやカッター等で切断する位置を示す、印刷等で形成した線であってもよい。
切断補助線４８は、本実施形態では袋本体４０の幅方向に沿って形成されているが、この形態には限定されず、袋本体４０の幅方向に対して傾斜して設けられていてもよい。
【００４０】
ノッチ５０の形状は、この例では三角形状であるが、特に限定されず、半円形状、直線状等であってもよい。
【００４１】
袋体１は、ノッチ５０から切断補助線４８に沿って袋本体４０の上部を切断して除去することで、図９に示すように、上部に開口部５２を形成して開封することができる。袋体１に形成した開口部５２は、嵌合具１０の雄側嵌合部１８と雌側嵌合部２２を着脱することで繰り返し開閉できる。
【００４２】
以上説明した本発明の嵌合具付き袋体では、本発明の嵌合具を備えているため、雄側嵌合部と雌側嵌合部とを全体的に嵌合させる際に嵌合が順調に進行しているか否かを、最初から最後まで指の感覚と音で認識することができ、開閉も容易である。また、袋体内に液状又は粉状の内容物を収容した場合でも、該内容物の漏出を抑制することができる。
【００４３】
なお、本発明の嵌合具付き袋体は、袋体１には限定されない。
例えば、本発明の嵌合具付き袋体においては、袋本体は特に限定されず、嵌合具付き袋体の袋本体として知られる様々な形態の袋本体を採用できる。例えば、袋体１は切断補助線４８を利用して開封するまでは密封状態の袋体であったが、予め開口部が形成された袋本体を備える嵌合具付き袋体であってもよい。
【００４４】
本発明の嵌合具付き袋体は、雄側嵌合部と雌側嵌合部が袋本体の内面に直接設けられたものであってもよい。例えば、本発明の嵌合具付き袋体は、図１０に例示した嵌合具付き袋体２であってもよい。
嵌合具付き袋体２は、上部に開口部６２が形成された、内容物を収容する袋本体６０と、袋本体６０の上部の対向する内面６０ａ，６０ｂに横方向にそれぞれ帯状に直接設けられた雄側嵌合部６４及び雌側嵌合部６６からなる嵌合具６８と、を備えている。
【００４５】
袋本体６０は、フィルム材が折り畳まれた状態で、折り返し部を底部として両方の側縁部がシールされ、上部に開口部６２が形成された状態になっている。袋本体６０を形成するフィルム材としては、特に限定されず、例えば、袋本体４０で挙げたものと同じものが挙げられる。
【００４６】
雄側嵌合部６４及び雌側嵌合部６６の態様は、嵌合具１０における雄側嵌合部１８及び雌側嵌合部２２と同様の態様であり、互いに着脱自在に嵌合するようになっている。
具体的には、雄側嵌合部６４は、袋本体６０の対向する一方の内面６０ａから立ち上がる幹部６４ａと、幹部６４ａの先端側に設けられ、幹部６４ａよりも大きい頭部６４ｂとを備えている。雌側嵌合部６６は、袋本体６０の対向する他方の内面６０ｂから断面円弧状に立ち上がる一対の第１アーム部６６ａと第２アーム部６６ｂとを備えている。雌側嵌合部６６には、第１アーム部６６ａと第２アーム部６６ｂによって凹部６６ｃが形成されている。雌側嵌合部６６には、雌側嵌合部２２と同様に、部分的に高さが低くなっている低位部が雌側嵌合部６６の長さ方向に間隔を開けて複数形成されている。
【００４７】
このように、嵌合具付き袋体２は、上部に開口部６２が形成され、雄側嵌合部１８及び雌側嵌合部２２と同様の態様の雄側嵌合部６４及び雌側嵌合部６６が袋本体６０の内面６０ａ，６０ｂに直接設けられている以外は、嵌合具付き袋体１と同様の態様である。雄側嵌合部６４の頭部６４ｂが雌側嵌合部６６の凹部６６ｃ内に嵌まり込み、雄側嵌合部６４の頭部６４ｂが雌側嵌合部６６の第１アーム部６６ａ及び第２アーム部６６ｂのそれぞれの先端部分で係止されることで、雄側嵌合部６４と雌側嵌合部６６が嵌合する。雄側嵌合部６４と雌側嵌合部６６とを嵌合した状態においては、雌側嵌合部６６の低位部においても、雄側嵌合部６４の頭部６４ｂが雌側嵌合部６６の凹部６６ｃに嵌まり込んで嵌合した状態になっている。
【００４８】
嵌合している状態の雄側嵌合部６４と雌側嵌合部６６とを互いに離間させるように動かすことで、雄側嵌合部６４の頭部６４ｂが雌側嵌合部６６の第１アーム部６６ａと第２アーム部６６ｂを内側から押し広げながら脱離する。このように、嵌合具付き袋体２では、雄側嵌合部６４と雌側嵌合部６６とは着脱自在に嵌合させることで、開口部６２を開閉自在に閉じることができるようになっている。
【００４９】
嵌合具付き袋体２においても、雌側嵌合部６６の長さ方向に間隔を開けて複数の低位部が形成されていることで、雌側嵌合部６６には長さ方向に複数の段差が形成されている。これにより、雄側嵌合部６４と雌側嵌合部６６の一部を嵌合させて、その部分を摘まんだ指をスライドさせながら連続的に嵌合させていく場合に、雌側嵌合部６６の段差を乗り越える度に嵌合の感触が指に伝わるうえ、雄側嵌合部６４と雌側嵌合部６６とが嵌合する際のプチプチという音がする。そのため、雄側嵌合部６４と雌側嵌合部６６との嵌合が長さ方向に順調に進行していか否かを指の感覚と音で認識することができる。
また、雌側嵌合部６６の低位部においても、雄側嵌合部６４と雌側嵌合部６６とは嵌合状態になっているため、袋本体６０内に液状又は粉状の内容物を収容した場合でも内容物の漏出が抑制される。
【００５０】
［嵌合具付き袋体の製造方法］
本発明の嵌合具付き袋体の製造方法は、嵌合具付き袋体２のような、雄側嵌合部と雌側嵌合部が袋本体の内面に直接設けられている態様の嵌合具付き袋体を製造する方法である。本発明の嵌合具付き袋体の製造方法は、下記の成形工程と押圧工程とを有する。
成形工程：インフレーション成形により、内面に雄側嵌合部及び雌側嵌合部がそれぞれ長さ方向に帯状に形成された長尺の筒状体を形成する。
押圧工程：雌側嵌合部に対し、雌側嵌合部の長さ方向に間隔を開けて、雌側嵌合部の高さが部分的に低くなるように押圧して低位部を複数形成する。
【００５１】
以下、前記した嵌合具付き袋体２を製造する場合を例にして説明する。嵌合具付き袋体２の製造方法としては、例えば、下記の成形工程、切断工程、押圧工程及び溶断工程を有する方法が挙げられる。
成形工程：図１２に示すように、インフレーション成形により、内面に雄側嵌合部６４及び雌側嵌合部６６がそれぞれ長さ方向に帯状に形成された長尺の筒状体６０Ａを形成する。
切断工程：筒状体６０Ａにおける雄側嵌合部６４と雌側嵌合部６６の間の開口部６２となる位置を長さ方向に切断して帯状のフィルム材６０Ｂとする。
押圧工程：フィルム材６０Ｂにおける雌側嵌合部６６に対し、雌側嵌合部６６の長さ方向に間隔を開けて、雌側嵌合部６６の高さが部分的に低くなるように押圧して低位部を複数形成する。
溶断工程：図１３に示すように、押圧工程後のフィルム材６０Ｂを、雄側嵌合部６４と雌側嵌合部６６が向かい合うように折り畳み、長さ方向に間隔を開けて複数の位置で、幅方向に溶断して嵌合具付き袋体２を連続して形成する。
【００５２】
（成形工程）
図１１に例示した環状ダイ１００を用いてインフレーション成形を行う。環状ダイ１００は、円環状の袋本体成形部１１０と、雄側嵌合部成形部１１２及び雌側嵌合部成形部１１４とが形成されている。雄側嵌合部成形部１１２及び雌側嵌合部成形部１１４は、袋本体成形部１１０における一方の側に並んで形成されている。雄側嵌合部成形部１１２は、袋本体成形部１１０から内側に向かって形成され、雄側嵌合部６４に相補的な形状になっている。雌側嵌合部成形部１１４は、袋本体成形部１１０から内側に向かって形成され、雌側嵌合部６６に相補的な形状になっている。袋本体成形部１１０の内側には、空気を吹き込むための空気口１１６が形成されている。
【００５３】
嵌合具付き袋体２を形成する樹脂材料を押出機に供給し、環状ダイ１００によって押し出し、空冷法又は水冷法によって冷却し、インフレーション法で拡幅製膜する。これにより、図１２に示すように、内面に雄側嵌合部６４と雌側嵌合部６６が設けられた筒状体６０Ａが形成される。
【００５４】
（切断工程）
筒状体６０Ａにおける雄側嵌合部６４と雌側嵌合部６６の間の開口部６２となる位置（図１２中の直線ｍ）を長さ方向に切断し、帯状のフィルム材６０Ｂとする。
【００５５】
（押圧工程）
フィルム材６０Ｂにおける雌側嵌合部６６が設けられた部分を、雌側嵌合部６６の長さ方向に間隔を開けて間欠的に押圧し、雌側嵌合部６６に高さが部分的に低くなっている低位部を長さ方向に間隔を開けて複数形成する。
【００５６】
（溶断工程）
図１３に示すように、押圧工程後のフィルム材６０Ｂを、雄側嵌合部６４と雌側嵌合部６６が向かい合うように折り畳み、長さ方向に間隔を開けて複数の位置で、幅方向（直線ｋ）に溶断して嵌合具付き袋体２を連続して形成する。
【００５７】
以上説明した本発明の嵌合具付き袋体の製造方法によれば、雄側嵌合部と雌側嵌合部とを全体的に嵌合させる際に嵌合が順調に進行しているか否かを指の感覚と音で認識することができ、開閉が容易で、液状又は粉状の内容物の漏出も抑制できる嵌合具付き袋体が簡便に得られる。
【００５８】
なお、本発明の嵌合具付き袋体の製造方法は、前記した嵌合具付き袋体２の製造方法には限定されない。例えば、本発明の嵌合具付き袋体の製造方法は、成形工程で得た筒状体を一旦巻き取ってもよい。また、必要に応じて延伸工程や印刷工程等を実施してもよい。
【符号の説明】
【００５９】
１、２  嵌合具付き袋体
１０、１０Ａ、６８  嵌合具
１２  第１嵌合部材
１４  第２嵌合部材
１６  第１基材
１８、６４  雄側嵌合部
２０  第２基材
２２、６６  雌側嵌合部
２４  低位部
２６  非低位部
４０、６０  袋本体
６２  開口部
【図１】
2017221627.tif 000003
【図２】
2017221627.tif 000004
【図３】
2017221627.tif 000005
【図４】
2017221627.tif 000006
【図５】
2017221627.tif 000007
【図６】
2017221627.tif 000008
【図７】
2017221627.tif 000009
【図８】
2017221627.tif 000010
【図９】
2017221627.tif 000011
【図１０】
2017221627.tif 000012
【図１１】
2017221627.tif 000013
【図１２】
2017221627.tif 000014
【図１３】
2017221627.tif 000015